(57)【要約】【課題】幅方向における内側寸法を大きくできるようにするとともに、軽量化を図る。【解決手段】ほぼ矩形状をなし、遊技盤が取り付けられる前枠がその一縁部を中心に回動可能に取り付けられるパチンコ機の外枠１０であって、ほぼ水平方向に延びる上下一対の横枠材２０ａ，２０ｂが木質材料によって形成され、ほぼ鉛直方向に延びる左右一対の縦枠材３０ａ，３０ｂが金属材料によって形成されている。縦枠材３０ａ，３０ｂは、２枚の金属板（外側縦枠材４０，内側縦枠材５０）が結合されて形成されており、中空状とされている。【選択図】図３
2006326180.tif 000002
【特許請求の範囲】
【請求項１】
ほぼ矩形状をなし、遊技盤が取り付けられる前枠がその一縁部を中心に回動可能に取り付けられるパチンコ機の外枠であって、
ほぼ水平方向に延びる上下一対の横枠材が木質材料によって形成され、
ほぼ鉛直方向に延びる左右一対の縦枠材が金属材料によって形成されている、
パチンコ機の外枠。
【請求項２】
請求項１に記載のパチンコ機の外枠であって、
前記縦枠材が中空の金属材料によって形成されている、
パチンコ機の外枠。
【請求項３】
請求項２に記載のパチンコ機の外枠であって、
前記縦枠材は、２枚の金属板が結合されて形成されている、
パチンコ機の外枠。
【発明の詳細な説明】
【技術分野】
【０００１】
本発明は、パチンコ機の外枠に関するものである。
【背景技術】
【０００２】
一般的に、パチンコ機は前枠及び外枠を有し、前枠は、外枠に対して開閉（回動）可能に取り付けられている。前枠には遊技盤等が取り付けられ、遊技盤には、各種の入賞口や役物（センター役物）等が設けられている。遊技盤の裏側には、制御装置，パチンコ球供給装置等の各種の部品が設けられている。
【０００３】
外枠は、全体として長方形状の枠状をしており、上下一対の横枠材と、左右一対の縦枠材とが結合されて形成されている。
そして、そのパチンコ機（外枠）は、パチンコホールにおける取付壁部に設けられた各区画（「島」ともいわれる）に対して取り付けられる。
【０００４】
そして、従来の一般的な外枠は、木材によって形成されている。すなわち、その横枠材及び縦枠材は木材によって形成されている（横枠材及び縦枠材に付随するものについては、木材のものとそれ以外のものの場合がある）。
【０００５】
ところで、近年、遊技盤に設けられる役物（センター役物）等が大きなものとなってきており、それに伴って、遊技盤の裏側に設けられる各種の部品も大きなものとなってきている。このため、その分、外枠の内側寸法（特にその幅方向）が大きくされる必要がある。
一方、パチンコホールにおける各区画の大きさは所定のものに設定されている。
このため、外枠（特に縦枠材）の幅が狭くされる（肉厚が薄くされる）ことが求められている。
一方では、外枠は、所定以上の強度を有する必要がある。
【０００６】
このことから、特許文献１には、外枠を金属材料で形成する、という技術的思想が開示されている。
しかしながら、単に外枠を金属材料で形成すると、重量が大きくなり、パチンコホールの各区画に対する取付作業が煩雑なものとなる。
【特許文献１】特開２００４−１８８０６５公報
【発明の開示】
【発明が解決しようとする課題】
【０００７】
本発明は、パチンコ機の外枠について、その幅方向における内側寸法（両縦枠材の間の距離）を大きくできるようにするとともに、その軽量化を図ることを目的とする。
【課題を解決するための手段】
【０００８】
上記の目的を達成するために、請求項１に係る発明は、ほぼ矩形状をなし、遊技盤が取り付けられる前枠がその一縁部を中心に回動可能に取り付けられるパチンコ機の外枠であって、ほぼ水平方向に延びる上下一対の横枠材が木質材料によって形成され、ほぼ鉛直方向に延びる左右一対の縦枠材が金属材料によって形成されている、パチンコ機の外枠である。
【０００９】
「矩形状」には、長方形状及び正方形状が含まれる。
【００１０】
上記発明のパチンコ機の外枠においては、縦枠材が金属材料によって形成されているため、縦枠材は、木材によって形成される場合と比較して、所定の強度を維持しつつ、幅狭に形成され得る。このため、その分、外枠の幅方向における内側寸法（両縦枠材の間の距離）が大きくされ得る。
それとともに、上記発明のパチンコ機の外枠においては、横枠材が木質材料によって形成されているため、横枠材も金属材料によって形成される場合と比較して、外枠の軽量化が図られる。
このため、この外枠では、パチンコホールの各区画に対する取付作業の能率が向上する。
【００１１】
また、横枠材が木質材料によって形成されているため、この外枠は、パチンコホールの各区画の木製の横材に対して、釘によって容易にかつ確実に取り付けられ得る。
すなわち、横枠材が金属材料によって形成されている場合は、釘が貫通するための孔が予め所定の位置に形成されることが必要となるが、その場合は、パチンコホールの各区画の木製の横材の所定の位置に釘が係止されることとなる。そうなると、パチンコホールの各区画に対して外枠（パチンコ機）が何度も交換して取り付けられる際に、横材のうちの同じ位置に何度も釘が係止されたり取り外されたりすることが繰り返されることとなり、釘の係止力が減衰していくこととなる。
しかしながら、上記発明のパチンコ機の外枠では横枠材が木質材料のため、パチンコホールの各区画に対して外枠（横枠材）を釘によって取り付ける際に、その取り付けのたびごとに異なる位置に釘を打ち付けることが可能であり、そうすることによって、各区画の横材のうちの異なる位置に釘が係止されることとなり、釘の係止力が減衰しないのである。
【００１２】
請求項２に係る発明は、請求項１に係る発明のパチンコ機の外枠であって、前記縦枠材が中空の金属材料によって形成されている、パチンコ機の外枠である。
【００１３】
上記発明のパチンコ機の外枠では、請求項１に係る発明のパチンコ機の外枠の作用効果に加えて、次の作用効果が得られる。
すなわち、この外枠では、縦枠材は、中実の金属ではなく、中空の金属によって形成されているため、その分、軽量化が図られる。
このため、この外枠では、パチンコホールの各区画に対する取付作業の能率がさらに向上する。
【００１４】
請求項３に係る発明は、請求項２に係る発明のパチンコ機の外枠であって、前記縦枠材は、２枚の金属板が結合されて形成されている、パチンコ機の外枠である。
【００１５】
上記発明のパチンコ機の外枠では、請求項２に係る発明のパチンコ機の外枠の作用効果に加えて、次の作用効果が得られる。
すなわち、この外枠では、縦枠材が２枚の金属板が結合されて形成されているため、容易に中空状とされ得る。
【発明の効果】
【００１６】
以上のように、本発明のパチンコ機の外枠では、その幅方向における内側寸法（両縦枠材の間の距離）を大きくすることができるとともに、その軽量化が図られ、パチンコホールの各区画に対する取付作業の能率が向上する。
【発明を実施するための最良の形態】
【００１７】
次に、本発明の一実施形態について、図面に基づいて説明する。
図１に示すように、パチンコ機は、前枠１００及び外枠１０を有している。前枠１００は、外枠１０に対して、閉位置と開位置との間を変位可能に取り付けられる。
【００１８】
前枠１００には、遊技盤（図示省略）等が設けられる。遊技盤には、多数の釘，風車，各種の入賞口，センター役物等の各種の部品（いずれも図示省略）が取り付けられている。
遊技盤の裏側には、制御装置，パチンコ球供給装置等の各種の部品（いずれも図示省略）が取り付けられる。
【００１９】
図１〜図３に示すように、外枠１０は、全体として、縦長の長方形の枠状をしている。そして、ほぼ左右対称の構造を有している。
外枠１０は、上下一対の横枠材２０ａ，２０ｂ及び左右一対の縦枠材３０ａ，３０ｂを有している。
【００２０】
一対の横枠材２０ａ，２０ｂは、ともにほぼ水平方向に延びる帯板状をしている。各横枠材２０ａ，２０ｂは、木材によって形成されている。各横枠材２０ａ，２０ｂは、その縦断面において奥行方向（パチンコ機の奥行方向）に延びている。
下方の横枠材２０ｂの手前側には、前板部材２８が取り付けられている。前板部材２８も、ほぼ水平に延びる帯板状をしている。前板部材２８は、その縦断面においてほぼ鉛直方向に延びている。前板部材２８も木材によって形成されている。
【００２１】
一対の縦枠材３０ａ，３０ｂは、ともにほぼ鉛直に延びている。各縦枠材３０ａ，３０ｂは、外側縦枠材４０と内側縦枠材５０が結合されて形成されている。外側縦枠材４０及び内側縦枠材５０とも、ほぼ帯板状をしており、金属板によって形成されている。金属としては、鉄，アルミニウム合金，マグネシウム合金等がある。
【００２２】
図４に示すように、外側縦枠材４０は、本体部４１，手前側接合部４２ａ，奥側接合部４２ｂを有している。
本体部４１は、その横断面において、奥行方向に延びている。手前側接合部４２ａは、その横断面において、本体部４１の手前側の縁部から内側方向（パチンコ機としての内側方向）に延びている。同様に、奥側接合部４２ｂは、その横断面において、本体部４１の奥側の縁部から内側方向に延びている。
【００２３】
内側縦枠材５０も、本体部５１，手前側接合部５２ａ，奥側接合部５２ｂを有している。
手前側接合部５２ａは、その横断面において、本体部５１の手前側の縁部から外側方向（パチンコ機としての外側方向）に延びている。同様に、奥側接合部５２ｂは、その横断面において、本体部５１の奥側の縁部から外側方向に延びている。
内側縦枠材５０の本体部５１は、第１奥行方向部５６ａ，第２奥行方向部５６ｂ，第３奥行方向部５６ｃを有し、第１奥行方向部５６ａと第２奥行方向部５６ｂとの間，第２奥行方向部５６ｂと第３奥行方向部５６ｃとの間には第１幅方向部５７ａ，第２幅方向部５７ｂが形成されている。
第１奥行方向部５６ａ，第２奥行方向部５６ｂ，第３奥行方向部５６ｃは、その横断面において、いずれも奥行方向に延びている。第１幅方向部５７ａ，第２幅方向部５７ｂは、その横断面において、いずれも幅方向に短く延びている。
こうして、内側縦枠材５０の本体部５１は、手前側から奥側に向かうにつれて段階的に内側方向に変位する形状とされている。
【００２４】
外側縦枠材４０の手前側接合部４２ａと内側縦枠材５０の手前側接合部５２ａとが重ね合わされ、外側縦枠材４０の奥側接合部４２ｂと内側縦枠材５０の奥側接合部５２ｂとが重ね合わされている。
そして、図３に示すように、外側縦枠材４０に形成された各ビス孔４３及び内側縦枠材５０に形成されたビス孔５３を通してビス（図示省略）が螺合されることによって、外側縦枠材４０と内側縦枠材５０とが結合されて、縦枠材３０ａ，３０ｂが各々形成されている。
なお、右側の縦枠材３０ｂにおいては、ビス孔４３，５３は、その上方部分に形成されている。左側の縦枠材３０ａにおいては、ビス孔４３，５３は、その下方部分に形成されている。
【００２５】
こうして、図４に示すように、縦枠材３０ａ，３０ｂのほとんどすべての部分において、外側縦枠材４０の本体部４１と内側縦枠材５０の本体部５１との間には空間が存在している。
ただし、図３に示すように、外側縦枠材４０のビス孔４３の周囲の部分は内側に（すなわち、内側縦枠材５０の方に向かって）突出しており、その部分において外側縦枠材４０の本体部４１（図４）と内側縦枠材５０の本体部５１（図４）とは接触している（図示省略）。
【００２６】
以上のようにして、各縦枠材３０ａ，３０ｂは、中空に形成されている。
そして、各縦枠材３０ａ，３０ｂの幅方向（パチンコ機の幅方向）における外側の面は、鉛直方向及び奥行方向に延びる平面状をしているとともに、その幅方向における内側の面は、鉛直であるとともに、手前側から奥側に向かうにつれて段階的に内側方向に変位する段差面とされている。
【００２７】
図３に示すように、一対の横枠材２０ａ，２０ｂと一対の縦枠材３０ａ，３０ｂとは、次のように結合されている。
長方形状の外枠１０の４隅に対応して、結合金具７０が使用されている。結合金具７０は、金属板が直角に折り曲げられて形成されており、略水平板部７２及び略鉛直板部７６を有している。略水平板部７２にはビス孔７３が形成されている。略鉛直板部７６にもビス孔７７が形成されている。
【００２８】
上方の横枠材２０ａの左右の各端部の上面には、結合金具７０の略水平板部７２に対応して窪んだ段差部２２が形成されている。下方の横枠材２０ｂの左右の各端部の下面にも、同様に、段差部（図示省略）が形成されている。
内側縦枠材５０の上端部及び下端部は、内側方向に直角に折り曲げられて、略水平部３２が形成されている。
各横枠材２０ａ，２０ｂの段差部２２，各内側縦枠材５０の略水平部３２には、ビス孔２３，３３が形成されている。各ビス孔２３，３３は、結合金具７０の略水平板部７２のビス孔７３に対応している。
【００２９】
各横枠材２０ａ，２０ｂの左右の各端部には、結合金具７０の略鉛直板部７６に対応して、切欠部２６が形成されている。
外側縦枠材４０のうちの上部及び下部には、結合金具７０の略鉛直板部７６に対応して、内側方向に窪んだ窪み部４６が形成されている。
窪み部４６には、結合金具７０の略鉛直板部７６のビス孔７７に対応して、ビス孔４７が形成されている。
【００３０】
そして、結合金具７０の略水平板部７２のビス孔７３，横枠材２０ａ，２０ｂの段差部２２のビス孔２３，内側縦枠材５０の略水平部３２のビス孔３３を通して、ビス（図示省略）が螺合されている。
また、結合金具７０の略鉛直板部７６のビス孔７７，外側縦枠材４０の窪み部４６のビス孔４７を通してビス（図示省略）が螺合されることによって、結合金具７０（略鉛直板部７６）と外側縦枠材４０とが結合されている。
上方の結合金具７０については、略鉛直板部７６における２本のビスのうちの上方のビス（いずれも図示省略）は、さらに、横枠材２０ａの切欠部２６に対して螺合されている。同様に、下方の結合金具７０については、略鉛直板部７６における２本のビスのうちの下方のビス（図示省略）は、さらに、横枠材２０ｂの切欠部２６に対して螺合されている。
こうして、結合金具７０を介して、横枠材２０ａ，２０ｂと縦枠材３０ａ，３０ｂとが結合されている。
【００３１】
外枠１０の左下部には、軸用金具８０が設けられている。
軸用金具８０は、略水平部８１及び略鉛直部８２を有している。略水平部８１には、回動支持軸８４が形成されている。
略鉛直部８２には、ビス孔８３が形成されている。そして、左側の外側縦枠材４０と左側の内側縦枠材５０とを結合する前述のビス（図示省略）は、さらに、ビス孔８３に螺合されている。こうして、軸用金具８０（その略鉛直部８２）は左側の縦枠材３０ａと結合されている。
略水平部８１は、下方の横枠材２０ｂの前板部材２８によって支持されている。
【００３２】
図１〜図３に示すように、外枠１０の４隅に対応して配設された４つの結合金具７０のうちの左上の結合金具７０には、軸孔形成部８５が設けられている。軸孔形成部８５は、その結合金具７０の略水平板部７２から手前側に延びており、軸孔形成部８５には軸孔８６が形成されている。
【００３３】
一方、図１に示すように、前枠１００の左下部（前枠１００が閉位置に位置する状態における左下部。以下同様）には、軸孔用金具１１０が固定されており、軸孔用金具１１０には軸孔１１４が形成されている。軸孔１１４には、回動支持軸８４が回動可能に挿通される。
前枠１００の左上部には、軸用金具１１５が固定されており、軸用金具１１５には回動軸１１６が形成されている。回動軸１１６は、軸孔８６に対して、回動可能に挿通される。
こうして、前枠１００は、外枠１０に対して、前枠１００及び外枠１０の左縁部を中心に回動可能に取り付けられる。そして、前枠１００は、外枠１０と合致した閉位置と、外枠１０と合致しない開位置との間を変位する。
なお、外枠１０の下方の横枠材２０ｂの前板部材２８の上端部には摺滑用金具２９が固定されており、上述の前枠１００の変位が円滑に行われる。
【００３４】
図２及び図３に示すように、外枠１０の右側の縦枠材３０ｂには、上下に一対の被係止部材９０が設けられている。
被係止部材９０は、ともに板状の被取付部９１及び被係止部９３を有している。被取付部９１は、その横断面においてパチンコ機の奥行方向に延び、被係止部９３は、その横断面においてパチンコ機の幅方向に延びている。被取付部９１にはビス孔９２（図４（ｂ））が形成されている。
図３及び図４（ｂ）に示すように、右側の内側縦枠材５０のうちの上方の部分及び下方の部分には、各々、一対のスリット６８，６９が形成されている。そして、その内側縦枠材５０の外側から被係止部９３がスリット６９に挿入され、その内側縦枠材５０の内側からスリット６８を通してビス（図４（ｂ）にのみ符号なしで図示）が被取付部９１のビス孔９２に螺合されて、被係止部材９０は右側の内側縦枠材５０に対して固定されている。
【００３５】
図１に示すように、前枠１００の右側には、上下に一対の係止部材１２０が設けられている。各係止部材１２０は、係止位置（図示）と非係止位置（図示せず）との間を変位可能である。
そして、前枠１００が閉位置に位置する状態において、係止部材１２０（係止位置に位置する）が各被係止部材９０（図２）に係止することによって、前枠１００が閉位置に維持される。係止部材１２０が非係止位置に変位されることによって、前枠１００は開位置へと変位可能となる。
【００３６】
図１及び図２に示すように、パチンコ機（外枠１０）は、次のようにして、パチンコホールの各区画に対して取り付けられる。
外枠１０に前枠１００が取り付けられる前の状態において、上方の横枠材２０ａに対して、その下方から釘Ｎが打ち付けられ、釘Ｎ（その先端部の側の部分）が、横枠材２０ａを貫通し、各区画を形成する木製の上方の横材（図示省略）に対して係止される。
同様にして、下方の横枠材２０ｂに対して、その上方から釘Ｎが打ち付けられ、釘Ｎが、横枠材２０ｂを貫通し、各区画を形成する木製の下方の横材（図示省略）に対して係止される。
このようして外枠１０が各区画に対して取り付けられた後に、外枠１０に対して前枠１００が取り付けられる。
【００３７】
次に、この外枠１０の作用及び効果について説明する。
この外枠１０においては、縦枠材３０ａ，３０ｂが金属によって形成され、横枠材２０ａ，２０ｂが木材によって形成されている。
このため、縦枠材３０ａ，３０ｂは、木材によって形成される場合と比較して、所定の強度を維持しつつ、幅狭に形成され得る。このため、その分、外枠１０の幅方向における内側寸法（両縦枠材３０ａ，３０ｂの間の距離）が大きくされ得る。
【００３８】
また、縦枠材３０ａ，３０ｂは、中実の金属ではなく、中空の金属によって形成されているため、その分、軽量化が図られる。
縦枠材３０ａ，３０ｂは、各々２枚の板材（外側縦枠材４０，内側縦枠材５０）が結合されて形成されているため、容易に中空状とされ得る。それとともに、右側の縦枠材３０ｂにおいて、外側縦枠材４０及び内側縦枠材５０が結合される前に被係止部材９０が内側縦枠材５０に対して取り付けられることによって、被係止部材９０は、被取付部９１が露出して見苦しくなることなく、縦枠材３０ｂに対して容易に取り付けられ得る。
また、縦枠材３０ａ，３０ｂの内側の面（内側縦枠材５０）は段差面とされているため、平面状の場合よりも大きな強度が得られる。このことから、その分、外枠１０の幅方向における内側寸法が大きくされ得る。
【００３９】
また、横枠材２０ａ，２０ｂが木材によって形成されているため、横枠材２０ａ，２０ｂも金属によって形成されている場合と比較して、軽量化が図られる。それとともに、図１及び２に基づいて前述したように、外枠１０は、釘Ｎによってパチンコホールの各区画に対して容易に取り付けられ得る。
【００４０】
なお、上記のものはあくまで本発明の一実施形態にすぎず、当業者の知識に基づき種々の変更を加えた態様で本発明を実施できることはもちろんである。
【００４１】
例えば、縦枠材３０ａ，３０ｂは、必ずしも２枚の板材（外側縦板材４０及び内側縦板材５０）が結合されて形成されるのではなく、一体的に形成されていてもよい。
【図面の簡単な説明】
【００４２】
【図１】本発明の一実施形態のパチンコ機の外枠を示す斜視図である。開位置に位置する状態の前枠も併せて示してある。
【図２】本発明の一実施形態のパチンコ機の外枠を示す斜視図である。図１とは異なる方向から見た斜視図である。
【図３】本発明の一実施形態のパチンコ機の外枠を示す分解斜視図である。
【図４】本発明の一実施形態のパチンコ機の外枠を示す横断面図である。（ａ）は左側の縦枠材の部分を示し、（ｂ）は右側の縦枠材の部分を示す。
【符号の説明】
【００４３】
１０  外枠
２０ａ，２０ｂ  横枠材
３０ａ，３０ｂ  縦枠材
４０  外側縦枠材
５０  内側縦枠材
【図１】
2006326180.tif 000003
【図２】
2006326180.tif 000004
【図３】
2006326180.tif 000005
【図４】
2006326180.tif 000006